(57)【特許請求の範囲】
【請求項１】
中空の枠体、枠体内に同軸で支承され互に回動できる複数の回転体、隣接する２つの回転体の間に設けた選択的に係合できる係合手段、複数の回転体にそれぞれ設けた解錠用切欠き、回転体の１つの少くも回転方向について連結され、正面側に露出するつまみを兼ねるダイヤル、及び、枠体内に揺動可能に保持され、頭部を枠体外に突出させる方向に付勢させたラッチを備えたダイヤル錠において、前記回転体を支承する枠体における軸体の先端に、ダイヤルの正面において中央に位置するようにしてねじで止め片を固定し、その止め片に正面側に指標を有し背面側に複数の弾性変形可能な係合脚片を有する蓋部材をその角度位置を任意に選択して係着することを特徴とするダイヤル錠における指標の位置決め装置。
【発明の詳細な説明】
【０００１】
【発明の属する技術分野】
この発明は、郵便受け等の扉に用いられるダイヤル錠における指標の位置決め装置に関する。
【０００２】
【従来の技術】
図１の（Ａ）〜（Ｄ）に示すように、郵便受けの扉１０等は、蝶番２０の取付け位置の相違により、その開き勝手が右勝手、左勝手、上勝手あるいは下勝手のようにタイプが変わる。
【０００３】
そのため、ダイヤル錠のラッチ３０の向きも勝手違いにより異なってくることになり、同時に錠の本体（枠体）側に施される文字合わせの指標４０の位置も例えば上下左右と異なってくる。
【０００４】
一般的に指標４０は上方位置に設定することが普通であり、扉の開き勝手毎にその位置が変化するということは、使用者にとって不便であり、紛らわしい。
【０００５】
また、図１のような扉１０の勝手違いに応じ、４種のダイヤル錠を準備して、指標が上を向くような錠を選択しつつ使用するというやり方も考えられるが、製造や在庫管理等の面で能率的ではない。
【０００６】
【発明が解決しようとする課題】
この発明のダイヤル錠における指標の位置決め装置は、郵便受け等の開き勝手が右勝手、左勝手、上勝手、あるいは下勝手のいずれであっても、ダイヤル錠の指標が常に同じ角度位置（例えば上の位置）を占めることができるようにすることを目的として提案されたものである。
【０００７】
【課題を解決するための手段】
上記の目的を達成するため、この発明のダイヤル錠における指標の位置決め装置は、中空の枠体、枠体内に同軸で支承され互に回動できる複数の回転体、隣接する２つの回転体の間に設けた選択的に係合できる係合手段、複数の回転体にそれぞれ設けた解錠用切欠き、回転体の１つの少くも回転方向について連結され正面側に露出するつまみを兼ねるダイヤル、及び、枠体内に揺動可能に保持され、当部を枠体外に突出させる方向に付勢させたラッチを備えたダイヤル錠において、前記回転体を支承する枠体における軸体の先端に、ダイヤルの正面において中央に位置するようにしてねじで止め片を固定し、その止め片に正面側に指標を有し背面側に複数の弾性変形可能な係合脚片を有する蓋部材をその角度位置を任意に選択して係着することを特徴とする。
【０００８】
【発明の実施の形態】
以下、図２〜図４に示す実施例に基づいてこの発明について説明する。
符号１はラッチ装着孔１３及びラッチばね装着孔１４を有する円筒状のラッチホルダ１１と、フランジ１６を有する円筒状の外ケース１２とからなる中空の枠体で、ラッチホルダ１１と外ケース１２とは互に嵌め合わされてねじ９１で固定してある。９２は外ケース１２のフランジ１６を郵便受け等の扉１０に固定するための取付けねじを示す。
【０００９】
枠体１におけるラッチホルダ１１の先端部は一体の軸体１５に形成してあって、その軸体１５には複数（２又は３個）の回転体２、３が支承されている。
【００１０】
複数の回転体２、３は同軸上で互に独立して回動できるようにしてあり、それら回転体２、３の形状は円筒状、円板状など任意に形成できる。
【００１１】
隣接する２つの回転体２、３の間には、相対的な１回転の間に選択的に係合できる、所謂ツクと称せられる係合手段４が備えられている。
【００１２】
図示例の係合手段４は、内側回転体２に対し回転方向について一体的に結合される後記のダイヤル５の後面に植設されたピン４１と、外側回転体３の前面に一体に突設された突片４２とで形成されている。
【００１３】
また、複数の回転体２、３の後部には、それぞれ解錠用の切欠き２１、３１が形成されている。これらの切欠き２１、３１は、ダイヤル５により文字合わせがされて、同一かつ所定の角度位置に整合された時（図４参照）、後記のラッチ７の揺動が許容されて解錠状態となる。
【００１４】
更に、回転体の１つである内側回転体２の外端には、有底のカップ体の内側に段付の中空筒体を接続した形状で、正面側に露出するつまみを兼ねるダイヤル５が一体的に結合されている。
【００１５】
図示の実施例では、内側回転体２とダイヤル５とは、前者の外端外周面、及び後者の段付中空筒体の内端内周面にそれぞれ形成されたスプラインの係合により連結され、ねじ９３により軸体１５の外端に固定された有底筒状の止め片６により軸線方向に移動できないように拘束された状態で結合されている。
【００１６】
ダイヤル５の正面には、図２に示すように、例えば、「０」〜「９」、「Ａ」及び「Ｂ」の数字・文字が表されている。
【００１７】
前記の外側回転体３及びダイヤル５の内側段付中空筒体の内端外周面は、共に横断面が多角形（例えば１２角形）に形成してあって、その部分にはクリックばね３２が両者に跨るように弾接している。
【００１８】
一方、図４において、符号７は、枠体１におけるラッチホルダ１１のラッチ装着孔１３内に揺動可能かつ摺動可能に保持され、頭部に斜面７１を有するラッチで、そのラッチ７は、ラッチばね装着孔１４に収められたラッチばね７２によって、頭部を枠体１外に突出させる方向に付勢されている。
【００１９】
また同図の符号７３は、ラッチ７に植設され、ラッチホルダ１１に形成された溝（図示しない）に先端を嵌め込んで該ラッチ７を直線的に案内し、または該ラッチ７の揺動の際の中心となるラッチ軸、７４はラッチホルダ１１に保持された弾性抵抗体、７５はラッチ７の表面に設けられ、弾性抵抗体７４の先端が嵌め込まれた誘導溝、７６はラッチホルダ１１に保持された緩衝体である。
【００２０】
このようなダイヤル錠の基本的な構造又は作用については、例えば、実開昭５７−３８４４９号または特開平４−９２０６７号公報に示されているので、上記構造のダイヤル錠自体の作用については簡単に説明する。
【００２１】
施錠する時は、図４を参照して、扉１０を矢印Ｐ方向に押せばよい。このとき、ラッチ７の頭部が郵便受け５０の係止片６０に当接すると、その斜面７１と係止片６０との間に生じる楔作用により一旦枠体１中に押し込まれるが（一点鎖線参照）、ラッチばね７２の付勢力によって再び突出して施錠する。
【００２２】
なお、図４の状態では、ダイヤル５が解錠角度位置にセットしてあるので、施錠状態にするためには、ダイヤル５を適当に回しておく必要がある。
【００２３】
解錠する時には、ダイヤル５を一度右回り又は左回りに回して第１操作における文字・数字を指標８１に合わせた後、ダイヤル５を逆に回して第２操作における所定の文字・数字を指標８１に合わせる。
【００２４】
このような操作により、回転体２、３の解錠用切欠き２１、３１は所定の角度位置で合致することになるので、つまみを兼ねるダイヤル５を矢印Ｐとは逆方向に引っ張れば、ラッチ７の背部が係止片６０で押されてラッチ７は二点鎖線で示すように揺動する。つまり、ダイヤル錠は解錠され、扉１０は開放される。
【００２５】
次に、この発明の要部について説明する。
上述した枠体１におけるラッチホルダ１１の軸体１５の先端には、つまみを兼ねるダイヤル５を挟むようにして有底筒状の止め片６を当接させ、止め片６を軸体１５に対しねじ９３で固定する。
【００２６】
この際、止め片６はダイヤル５の外側中心部に設けられた凹陥部５１内に装着するものとし、ダイヤル５は内側回転体２に対し回転方向について一体的に結合される。
【００２７】
前記の止め片６にたいし離脱不能に係着される蓋部材８は、正面側に指標８１を有し（図２及び図３参照）、その周囲における背面側に複数の弾性変形可能な係合脚片８２を有する。
【００２８】
各係合脚片８２はその先端に一体に形成された爪を有し、その爪は止め片６の外周に例えば９０°間隔で設けた係合凹部６２（図７参照）に掛け止められる。
【００２９】
図示の実施例では、蓋部材８における正面板８３は蓋部材８（枠部材）とは別体として作られており、蓋部材８の後方（背面）側より嵌め込みにより固設されている。両部材８、８３は勿論一体に製作してよい。
【００３０】
図２に示すつまみを兼ねるダイヤル５では、ラッチ７が左側に突出しており、指標８１が上方に位置しているので、右勝手の扉［図１の（Ａ）］に用いるときは、このままで扉１０に固定すればよいが、例えば、左勝手の扉［図１の（Ｂ）］に用いようとすると、指標８１が下方に位置することになり、文字合わせがやりにくくなる。
【００３１】
この発明の指標の位置決め装置は、このような場合に利用すると便利である。すなわち、ダイヤル５内の止め片６に対し蓋部材８は扉の勝手が決まるまでは係着しないで置き、扉の勝手が決まった段階で指標８１が上方に位置するようにして蓋部材８を最終的に嵌め込むようにすればよい。
【００３２】
例えば、左勝手の扉［図１の（Ｂ）］に用いる場合、指標８１が図２に「６」の所に位置するようにして蓋部材８を止め片６に嵌め込めば、錠の取り付け後、指標８１は上方の位置を占めることになる。
【００３３】
但し、その場合、指定の文字は１８０°分（指標８１を変更した角度分）だけずれることは勿論である。
【００３４】
図５及び図６は、薄く細長い板状片から成る補助具８０を用いて、蓋部材８を止め片６に対し仮嵌めしてある状態を示している。
【００３５】
この補助具８０は、図６から明らかなように、蓋部材８を止め片６から少し浮かした状態で、係合脚片８２、８２間の隙間を縫うように延在して、係合脚片８２の先端の爪が止め片６の係合凹部６２に嵌着することを阻止している。
【００３６】
すなわち、蓋部材８の係合脚片８２を止め片６の外端外周部に形成された環状の仮止め溝６１（図７参照）に係合させて、蓋部材８を止め片６から少し浮かせ、かつ回動自在に仮に掛け止め、扉の勝手が決まったら、補助具８０を利して蓋部材８を所要角度回した後、補助具８０を抜き取り蓋部材８を押し込めば、指標８１が希望の位置を占めた状態で蓋部材８が離脱不能に係着されることになる。
【００３７】
なお、ダイヤル５の凹陥部５１、止め片６及び蓋部材８の正面形は、図示例ではいずれも円形に形成してあるが、例えば正方形など他の形に形成することもできる。
【００３８】
【発明の効果】
以上に説明したこの発明のダイヤル錠における指標の位置決め装置によれば、郵便受け等の扉の開き勝手が右勝手、左勝手、上勝手あるいは下勝手のいずれであっても、指標を有する蓋部材を所望の角度位置で固定の止め片に対し係着できるようにしたので、１種のダイヤル錠を使用するだけで指標が常に同じ角度位置を占めるようにすることができ、使用者にとって使い勝手が良いばかりでなく、製作や在庫管理等においても効率化が計れるなどの効果を奏する。
【図面の簡単な説明】
【図１】一般的なダイヤル錠の（Ａ）〜（Ｄ）の４タイプの使用例を示す正面図。
【図２】この発明のダイヤル錠における指標の位置決め装置の実施例を示す正面図。
【図３】その側面図。
【図４】図３のＩＶ−ＩＶ線による拡大縦断平面図。
【図５】補助具を用いて蓋部材を仮嵌めした使用前の状態を示す図２の実施例の正面図。
【図６】その拡大縦断平面図。
【図７】止め片の側面図。
【符号の説明】
１  枠体
１５  軸体
２  回転体
２１  解錠用切欠き
３  回転体
３１  解錠用切欠き
４  係合手段
５  つまみを兼ねるダイヤル
６  止め片
６１  仮止め溝
６２  係合凹部
７  ラッチ
８  蓋部材
８１  指標
８２  係合脚片
【図１】
0003737172.tif 000002
【図２】
0003737172.tif 000003
【図３】
0003737172.tif 000004
【図４】
0003737172.tif 000005
【図５】
0003737172.tif 000006
【図６】
0003737172.tif 000007
【図７】
0003737172.tif 000008